(57)【要約】【課題】調光機能を有する光源点灯装置であって、標準出力、高出力のそれぞれの出力の切り替えが可能であり、調光ステップの狭まらない光源点灯装置の提供を目的とする。【解決手段】光源点灯装置１００は、制御を受けることにより、制御に応じた直流電流を出力電流として光源に出力する降圧チョッパ回路１３０と、調光信号を入力する光信号入力端子１８１，１８２と、調光率と降圧チョッパ回路１３０の出力電流との対応関係が定義された複数の調光テーブルを格納する不揮発メモリ１４１１を有し、光信号入力端子１８１，１８２が入力した調光信号に基づいて不揮発メモリ１４１１が格納する複数の調光テーブルの中から一つの調光テーブルを選択し、選択した調光テーブルを用いて、降圧チョッパ回路１３０を制御する制御部１４０を備える。【選択図】図２
2014183014.tif 000002
【特許請求の範囲】
【請求項１】
制御を受けることにより、制御に応じた直流電流を出力電流として光源に出力する電源回路と、
調光信号を入力する入力部と、
調光率と前記電源回路の前記出力電流との対応関係が定義された複数の調光テーブルを格納する格納部を有し、前記入力部が入力した前記調光信号に基づいて前記格納部が格納する前記複数の調光テーブルの中から一つの前記調光テーブルを選択し、選択した前記調光テーブルを用いて前記電源回路を制御する制御部と
を備えたことを特徴とする光源点灯装置。
【請求項２】
前記制御部は、
互いに異なる２種類の調光信号から構成される特定の信号パターンである特定パターンを前記入力部が入力すると、予め設定された選択規則に従って、前記格納部から一つの前記調光テーブルを選択することを特徴とする請求項１記載の光源点灯装置。
【請求項３】
前記特定パターンを構成する前記異なる２種類の調光信号は、
少なくとも、オンデューティ比が異なることを特徴とする請求項２記載の光源点灯装置。
【請求項４】
前記特定パターンを構成する前記異なる２種類の調光信号は、
少なくとも、周波数が異なることを特徴とする請求項２記載の光源点灯装置。
【請求項５】
前記制御部は、
特定の周波数の調光信号を前記入力部が入力すると、予め設定された選択規則に従って、前記格納部から一つの前記調光テーブルを選択することを特徴とする請求項１記載の光源点灯装置。
【請求項６】
前記光源点灯装置は、
交流電源から交流電力の供給を受けて動作すると共に、
前記交流電源の供給の有無を検出する電源検出回路を備え、
前記制御部は、
前記電源検出回路が前記交流電源の供給の有りを示すオン状態と、前記交流電源の供給の無しを示すオフ状態とからなる特定の電源オンオフパターンを検出すると、予め設定された選択規則に従って、前記格納部から一つの前記調光テーブルを選択することを特徴とする請求項１〜５のいずれかに記載の光源点灯装置。
【請求項７】
前記格納部は、
前記光源の累積点灯時間と前記電源回路の前記出力電流との対応関係が定義された複数の初期照度補正テーブルを格納し、
前記制御部は、
初期照度補正モードに設定されると、設定に従って前記複数の初期照度補正テーブルの中から一つの前記初期照度補正テーブルを選択し、選択した前記初期照度補正テーブルに従って前記光源の累積点灯時間を計時しながら前記電源回路を制御すると共に、前記電源検出回路が前記特定の電源オンオフパターンを検出すると、予め設定された選択規則に従って複数の初期照度補正テーブルから一つの前記初期照度補正テーブルを選択し、選択直前の前記初期照度補正テーブルに対する累積点灯時間を選択した前記初期照度補正テーブルに引き継ぐと共に選択した前記初期照度補正テーブルに従って前記光源の累積点灯時間を計時しながら前記電源回路を制御することを特徴とする請求項６記載の光源点灯装置。
【請求項８】
前記格納が格納する前記複数の初期照度補正テーブルは、
全光１００％の前記出力電流の値が大きいものほど、全光１００％の前記出力電流の値を分母とし、初期点灯時点の前記出力電流の値を分子としたときの分数値が小さいことを特徴とする請求項７記載の光源点灯装置。
【請求項９】
交流電源から交流電力の供給を受けて動作することによって光源を点灯させる光源点灯装置において、
前記交流電源の供給の有無を検出する電源検出回路と、
制御を受けることにより、制御に応じた直流電流を出力電流として前記光源に出力する電源回路と、
前記光源の累積点灯時間と前記電源回路の前記出力電流との対応関係が定義された複数の初期照度補正テーブルを格納する格納部を有し、初期照度補正モードに設定されると、設定に従って前記複数の初期照度補正テーブルの中から一つの前記初期照度補正テーブルを選択し、選択した前記初期照度補正テーブルに従って前記光源の累積点灯時間を計時しながら前記電源回路を制御すると共に、前記電源検出回路が前記交流電源の供給の有りを示すオン状態と、前記交流電源の供給の無しを示すオフ状態とからなる特定の電源オンオフパターンを検出すると、予め設定された選択規則に従って複数の初期照度補正テーブルから一つの前記初期照度補正テーブルを選択し、選択直前の前記初期照度補正テーブルに対する累積点灯時間を選択した前記初期照度補正テーブルに引き継ぐと共に選択した前記初期照度補正テーブルに従って前記光源の累積点灯時間を計時しながら前記電源回路を制御する制御部と
を備えたことを特徴とする光源点灯装置。
【請求項１０】
請求項１〜請求項９のうちのいずれかの光源点灯装置を備えた照明器具。
【発明の詳細な説明】
【技術分野】
【０００１】
本発明は、光源としてＬＥＤ（Ｌｉｇｈｔ・Ｅｍｉｔｔｉｎｇ・Ｄｉｏｄｅ）、ＥＬ（Ｅｌｅｃｔｒｏ・Ｌｕｍｉｎｅｓｃｅｎｃｅ）等を用いた光源点灯装置及び照明器具及び調光システムに関するものである。
【背景技術】
【０００２】
従来、天井などに設置された照明装置を２線の伝送線で制御装置に接続し、制御装置から照明装置にＰＷＭ調光信号を送信することにより、照明装置がＰＷＭ信号を受信してＰＷＭ信号のデューティ比に応じて照明装置の第一の光源部を調光し、ＰＷＭ信号の周期に応じて照明装置の第二の光源部を調光する照明システムがある（例えば、特許文献１参照）。
【先行技術文献】
【特許文献】
【０００３】
【特許文献１】特開２０１２−１７８２５５号公報
【発明の概要】
【発明が解決しようとする課題】
【０００４】
このような照明システムを用いた図１９のような空間において、例えば照明器具ａの周辺は、照明器具ａ〜ｄの照度が合わさった明るさで照度設計がなされている。しかしながら、図２０のように、数年経過した後に、照明器具ａの周囲を間仕切りされた場合、間仕切りした部屋は、照明器具ｂ〜ｄの照度が取り込めないため、照明器具ａの照度だけでは照度が不足する。このため、図２１に示すように照明器具ａの照度を上げて、間仕切り前と同等な照度を得る必要がある。照明器具ａの照度を大きくする手段として、照明器具ａに搭載されている電源の出力を上げて、照明器具ａの光源に流す電流を増やすことで実現することができる。従来は、図２２のような調光制御により、間仕切り前は標準出力の調光範囲で使用し、間仕切り後の照明器具ａについては高出力の調光範囲で使用することで実現することが可能である。しかしながら、標準出力、高出力のそれぞれの出力において、調光信号による調光範囲（調光ステップ、横軸幅）が狭くなるという課題がある。また、間仕切りした部屋の照明器具は個別の調光制御が必要となる。
【０００５】
この発明は、標準出力、高出力のそれぞれの出力の切り替えが可能であり、調光ステップの狭まらない光源点灯装置の提供を目的とする。
【課題を解決するための手段】
【０００６】
この発明の光源点灯装置は、
制御を受けることにより、制御に応じた直流電流を出力電流として光源に出力する電源回路と、
調光信号を入力する入力部と、
調光率と前記電源回路の前記出力電流との対応関係が定義された複数の調光テーブルを格納する格納部を有し、前記入力部が入力した前記調光信号に基づいて前記格納部が格納する前記複数の中から一つの前記調光テーブルを選択し、選択した前記調光テーブルを用いて、前記電源回路を制御する制御部と
を備えたことを特徴とする。
【発明の効果】
【０００７】
この発明により、標準出力、高出力のそれぞれの出力の切り替えが可能であり、調光ステップの狭まらない光源点灯装置を提供できる。
【図面の簡単な説明】
【０００８】
【図１】実施の形態１の照明器具１０００の構成を示す断面図。
【図２】実施の形態１の光源点灯装置１０１の回路図。
【図３】実施の形態１の調光テーブル１、２の特性図。
【図４】実施の形態１の不揮発記憶部１４１１が格納する調光テーブル１、２を示す図。
【図５】実施の形態１のテーブル切替パターンを示す図。
【図６】実施の形態１の光源点灯装置１０１が光源接続検出回路１７０を有する構成を示す図。
【図７】実施の形態１の各光源点灯装置１０１が照明制御装置４００と通信する構成図。
【図８】実施の形態１の演算処理部１４１０がテーブルを切り替える動作のフローチャート。
【図９】実施の形態１の点灯調光信号ＳＧ（１）、消灯調光信号ＳＧ（０）に周波数違いの調光信号を用いる場合のフローチャート。
【図１０】実施の形態２の光源点灯装置１０２の回路図。
【図１１】実施の形態３の光源点灯装置１０３の回路図。
【図１２】実施の形態３の２種類の初期照度補正テーブルの特性を示す図。
【図１３】実施の形態３の不揮発メモリ１４１１が格納する初期照度補正テーブル１、２を示す図。
【図１４】実施の形態３の初期照度補正テーブルの切替と累積点灯時間の関係を示す図。
【図１５】実施の形態４の調光テーブルが４つの場合を示す図。
【図１６】実施の形態４の初期照度補正テーブルが４つの場合を示す図。
【図１７】実施の形態４の標準出力から高出力のテーブルへ切替時の明滅を示す図。
【図１８】実施の形態４の高出力から標準出力のテーブルへ切替時の明滅を示す図。
【図１９】従来技術を示す図。
【図２０】従来技術を示す図。
【図２１】従来技術を示す図。
【図２２】従来技術を示す図。
【発明を実施するための形態】
【０００９】
図１〜図９を参照して、実施の形態１〜３を説明する。以下の実施の形態では光源点灯装置に特徴がある。実施の形態１〜３の光源点灯装置は、それぞれ光源点灯装置１０１〜１０３である。
（１）実施の形態１は、光源点灯装置１０１が２種類の調光テーブルを有し、消灯（ＯＦＦ）と点灯（ＯＮ）とを指示する調光信号による特定のＯＮ／ＯＦＦパターンに応じて、２種類の調光テーブルを一方から他方へ切り替える場合を説明する。
（２）実施の形態２では、実施の形態１に対して、ＯＮ／ＯＦＦを指令する調光信号で調光テーブルを切り替えるのではなく、光源点灯装置１０２が商用電源の供給の有無（ＯＮ／ＯＦＦ）、つまり、商用電源のＯＮ／ＯＦＦパターンに応じて２種類の調光テーブルを一方から他方へ切り替える場合を説明する。
（３）実施の形態３では、光源点灯装置１０３が調光テーブルではなく２種類の初期照度補正テーブルを有し、商用電源のＯＮ／ＯＦＦパターンに応じて、２種類の初期照度補正テーブルを一方から他方へ切り替える場合を説明する。
【００１０】
実施の形態１．
図１は、実施の形態１の照明器具１０００の構成を示す断面図である。照明器具１０００は、器具本体１１、電源線１２、コネクタ１３、複数のＬＥＤ１４、基板１５、配線１６及び光源点灯装置１０１を備える。複数のＬＥＤ１４全体でＬＥＤ光源２００を構成する。
【００１１】
（照明器具１０００の構成）
器具本体１１の内部には、光源点灯装置１０１が収納される。光源点灯装置１０１は、電源線１２、コネクタ１３を介して外部の商用交流電源（後述の商用交流電源９００）に接続される。複数のＬＥＤが実装されたＬＥＤ光源２００（ＬＥＤパッケージ）が実装された基板１５は、ＬＥＤ１４の発光面が器具本体１１の開口部を向くように器具本体１１の内側に装着され、配線１６により光源点灯装置１０１に接続される。ＬＥＤ１４は略直線状に１列に配置される。図２で述べるが、光源点灯装置１０１には調光信号入力端子１８１，１８２（入力部）が設けられており、この調光信号入力端子には、後述の調光コントローラ３００からの調光信号線が接続される。
【００１２】
なお、本実施の形態１において、ＬＥＤ１４の配置は直線状に限らず、例えばリング状でもよい。また、光源としてＬＥＤ１４の代わりにＥＬを用いてもよい。
【００１３】
図２は、光源点灯装置１０１の回路図である。光源点灯装置１０１は、商用交流電源９００より電力の供給を受けてＬＥＤ１４を点灯させる。光源点灯装置１０１は、調光コントローラ３００とともに、ＬＥＤ１４を調光する調光システムを構成する。
【００１４】
（光源点灯装置１０１の構成）
図２に示すように、光源点灯装置１０１は、整流回路１１０、昇圧チョッパ回路からなる力率改善回路１２０、力率改善回路１２０の後段に接続された降圧チョッパ回路１３０（電源回路）、制御部１４０を備える。
【００１５】
（１）整流回路１１０は、例えばダイオードブリッジ１１１と、コンデンサ１１２から構成される。
（２）力率改善回路１２０は、インダクタ１２１、ダイオード１２２、コンデンサ１２３、スイッチング素子１２４、制御ＩＣ１２５で構成される。
（３）降圧チョッパ回路１３０は、スイッチング素子１３１、インダクタ１３２、コンデンサ１３３、ダイオード１３４、ＬＥＤ電流検出抵抗１３５で構成される。
（４）制御部１４０は、演算処理部１４１０（例えばマイクロコンピュータである。マイコンという場合がある）、と降圧チョッパ回路制御部１４２０で構成される。
【００１６】
（１）整流回路１１０と力率改善回路１２０は、商用交流電源９００の交流電圧を直流電圧に変換する交流−直流変換部を構成する。
（２）整流回路１１０は、商用交流電源９００から供給される交流電圧を全波整流して脈流電圧を出力する。
（３）力率改善回路１２０は、制御ＩＣ１２５でスイッチング素子１２４を駆動制御し、これによって入力電流の波形を正弦波状に制御し、力率を改善する。力率改善回路１２０は、整流回路１１０から出力された脈流電圧を昇圧及び平滑化し、一定の直流電圧を出力する。なお、力率改善を行わない場合は、直流電圧を生成する回路構成であれば、交流−直流変換部は、整流回路１１０と力率改善回路１２０とからなる構成以外の回路構成を採用してもよい。例えばコンデンサインプット形整流回路としてもよい。この場合コンデンサインプット形整流回路の後段に、降圧チョッパ回路１３０を接続する。
【００１７】
降圧チョッパ回路１３０は、出力端に接続されたＬＥＤ１４に電流を供給してＬＥＤ１４を点灯させる。降圧チョッパ回路１３０は制御部１４０の降圧チョッパ回路制御部１４２０によりスイッチング素子１３１が駆動及び制御され、これによってＬＥＤ１４に供給する電流の電流値を調整し、ＬＥＤ１４の光量を調整することができる。なお、ＬＥＤ１４は、他の種類の光源でもよい。例えば光源として、降圧チョッパ回路１３０にＥＬを接続してもよい。また、降圧チョッパ回路１３０はＬＥＤ１４に電流を供給できる回路であれば、他の方式の回路でもよく、フライバックコンバータ等でもよい。
【００１８】
調光コントローラ３００は、光源点灯装置１０１の外部に設けられ、使用者が照明器具１０００の色温度や調光率を任意に設定するためのユーザーインタフェースを有する機器である。調光コントローラ３００は、例えば壁に設けられたスイッチや、リモコン、建物管理システムによる集中制御等として実装される。調光コントローラ３００は、照明器具１０００の調光率を使用者及び管理システムにより設定されたものに調整するため、光源点灯装置１０１に調光信号を出力する。調光信号はＬＥＤ１４に供給する電流の電流値、すなわち、ＬＥＤ１４の光出力を指定するＰＷＭ信号である。
【００１９】
制御部１４０は、調光コントローラ３００から出力される調光信号が入力され、制御部１４０内に設けられた演算処理部１４１０で解読する。演算処理部１４１０にて調光信号からＬＥＤ１４に供給するべき電流の電流値が決定すると、演算処理部１４１０は降圧チョッパ回路制御部１４２０に、ＬＥＤ電流の目標電流値（指令値）を通知する。降圧チョッパ回路制御部１４２０は、演算処理部１４１０から通知された目標電流値の電流を降圧チョッパ回路１３０からＬＥＤ１４に供給させる。また、演算処理部１４１０には不揮発メモリ１４１１（不揮発記憶部ともいう）が内蔵されている。
【００２０】
以下に光源点灯装置１０１の動作概要を説明する。光源点灯装置１０１の以下の動作概要は実施の形態２の光源点灯装置１０２も同様である。
【００２１】
商用交流電源９００から整流回路１１０を介して電源が投入されると、力率改善回路１２０、降圧チョッパ回路１３０が動作を開始して、ＬＥＤ１４に電流が供給される。ＬＥＤ１４に流れる電流は、ＬＥＤ電流検出抵抗１３５に流れる電流と等しい。このため、制御部１４０は、ＬＥＤ電流検出抵抗１３５に流れる電流（またはＬＥＤ電流検出抵抗１３５に発生する電圧）を検出して、スイッチング素子１３１のオンデューティ比を制御することにより、目標とする電流をＬＥＤ１４に供給するように制御する。このようにして、ＬＥＤ１４の明るさを変化させる。このとき、ＬＥＤ１４に供給される電流の目標とする電流値は、調光コントローラ３００から出力される調光信号（ＰＷＭ信号）のオンデューティ比に従って設定される。例えば、オンデュー比が小さいほど調光率は高くなり（つまり明るくなる）、オンデューティ比が大きいほど調光率は小さいものとする（つまり暗くなる）。また、所定のオンデューティ比の場合は、演算処理部１４１０は、この調光信号を消灯信号と認識して力率改善回路１２０、降圧チョッパ回路１３０の動作を停止し、ＬＥＤ１４を消灯させる。この信号を消灯調光信号ＳＧ（０）と呼ぶこととする。つまり、演算処理部１４１０は、特定の調光信号を消灯調光信号と認識するように設定されている。また、所定のオンデューティ比よりも小さい場合は、演算処理部１４１０は、この調光信号を点灯信号と認識する。この信号を点灯調光信号ＳＧ（１）と呼ぶこととする。演算処理部１４１０は、互いに異なる２つの特定の調光信号を、それぞれ消灯調光信号ＳＧ（０）、点灯調光信号ＳＧ（１）と認識するように設定されている。なお、消灯調光信号ＳＧ（０）に関して所定のオンデューティ比とは、例えば、後述の図３でオンデューティ比が１００％のときである。また、点灯調光信号ＳＧ（１）に関して所定のオンデューティ比よりも小さい場合とは、例えば、後述の図３でオンデューティ比が９３％以下のときである。演算処理部１４１０は、図５で後述する互いに異なる２種類の点灯調光信号ＳＧ（１）、消灯調光信号ＳＧ（０）から構成される特定のテーブル切替パターン（切替パターン）を認識すると調光テーブルを切り替える。
【００２２】
図３は、光源点灯装置１０１の不揮発記憶部１４１１（格納部）が格納する調光テーブル１と、調光テーブル２との特性を示す図である。
図４は、不揮発記憶部１４１１が格納する図３の特性の調光テーブル１、調光テーブル２を示す図である。図３に示すように、調光テーブル１は「標準出力」のテーブルである。調光テーブル２は「高出力」のテーブルである。光源点灯装置１０１は、後述のように、点灯調光信号及び消灯調光信号によるＯＮ／ＯＦＦパターン（図５のテーブル切替パターン）に応じて、調光テーブル１、調光テーブル２の２種類の調光テーブルを一方から他方へ切り替える。
【００２３】
（１）背景技術で述べた図１９の照明器具の配置の場合、この実施の形態１の場合は、１６台の照明器具は、それぞれ光源点灯装置１０１を備えている（後述の図７）。それぞれ光源点灯装置１０１は、調光テーブルが標準出力の調光テーブル１に設定されている。
（２）その後、図２０のように照明器具ａが間仕切りされると、照明器具ａの区域の明るさが暗くなる。このため、照明器具ａの光源点灯装置１０１を、調光テーブル１から調光テーブル２に設定を変更する。この設定変更のため、上記で述べた点灯調光信号ＳＧ（１）、消灯調光信号ＳＧ（０）による特定の入力パターンを演算処理部１４１０が検出することで、演算処理部１４１０が、既に設定中の調光テーブル１を高出力の調光テーブル２に切り替える。
図５は、演算処理部１４１０が検出したときに、テーブルを切り替えるテーブル切替パターンを示す。図５のＴ１は「オン期間」、Ｔ２は「オフ期間」を示す。なお演算処理部１４１０は、「オン期間」、「オフ期間」を計測する時計機能（時計部）を備えている。図５は横軸が時間であり、縦軸がオン示す点灯調光信号ＳＧ（１）、オフを示す消灯調光信号ＳＧ（０）に基づくＯＮ、ＯＦＦの検出を示す。時間ｔ１０〜ｔ２０では演算処理部１４１０は２秒以下のオンを検出しており、時間ｔ２０〜ｔ３０では２秒以下のオフを検出している。演算処理部１４１０は、図５に「ｎ＝１」と示したパターンを連続３回検出すると、つまり「ｎ＝１」、「ｎ＝２」、「ｎ＝３」を検出すると、現在の調光テーブル１（標準出力）を調光テーブル２（高出力）に切り替える。
（３）なお、図２０の場合は１６台の照明器具があるが、その中から照明器具ａだけが図５のテーブル切替パターンに反応するには、以下（イ）、（ロ）の方法が考えられる。図６、図７はこれらの方法を説明する図である。
図６は、光源点灯装置１０１が光源接続検出回路１７０を有する構成を示す図である。
図７は、各光源点灯装置１０１が照明制御装置４００と通信する構成である。
（イ）図６のように光源点灯装置１０１に、ＬＥＤ光源２００が接続されているかどうかを検出する光源接続検出回路１７０を設ける。制御部１４０の演算処理部１４１０は、光源接続検出回路１７０の検出結果を入力し、その結果、ＬＥＤ光源２００が接続されていないと判断したときにのみ、テーブル切替パターンに応答して、テーブルを切り替える構成とする。この構成により、図６の場合、照明器具ａからＬＥＤ光源２００をはずすことで、照明器具ａの光源点灯装置１０１だけ、テーブルを切り替えることができる。
（ロ）また、図７に示すように、各照明器具は照明制御装置４００と信号線でつながっている。各照明器具の光源点灯装置１０１の不揮発記憶部１４１１には、アドレスが設定されている。照明制御装置４００はアドレスに基づき、照明器具ａの光源点灯装置１０１に対してテーブル切替パターンに応答する設定を行う。
【００２４】
図８は、演算処理部１４１０がテーブルを切り替える動作のフローチャートである。図８を参照して、演算処理部１４１０によるテーブル切替動作をさらに詳しく説明する。
【００２５】
（１）Ｓ１１ａにおいて、演算処理部１４１０は、不揮発メモリ１４１１から、出力モード（現在設定されている、テーブルの種類）を読みだす。これは、テーブルの切替時に、演算処理部１４１０が使用する調光テーブルを出力モードとして記憶（後述のＳ２７ａ）するからである。
（２）Ｓ１２ａにおいて、演算処理部１４１０は、点灯制御が開始されたかを判断する。点灯制御が開始されない場合は、点灯制御の開始を待つ。点灯制御が開始されるとＳ１３ａに進む。
（３）Ｓ１３ａにおいて、演算処理部１４１０は、Ｓ１１ａで読み出した現在のモードを確認し、そのモードに従って調光テーブルを選択する（Ｓ１４ａ−１、Ｓ１４ａ−２）。
（４）Ｓ１５ａにおいて、演算処理部１４１０は、ｎに０をセットする。このｎは図５で述べたｎ＝１〜３が格納される変数である。
（５）Ｓ１６ａにおいて、演算処理部１４１０は、Ｔ１，Ｔ２に０をセットする。このＴ１，Ｔ２は、図５で述べたオン期間、オフ期間である。
（６）Ｓ１７ａにおいて、演算処理部１４１０は、調光コントローラ３００から点灯調光信号ＳＧ（１）を入力する。
（７）Ｓ１８ａにおいて、演算処理部１４１０は、オン期間であるＴ１をカウント開始する。
（８）Ｓ１９ａにおいて、演算処理部１４１０は、調光コントローラ３００から消灯調光信号ＳＧ（０）が入力されたか判定する。入力されていないと判定すると、演算処理部１４１０はＴ１のカウントを続ける（Ｓ１９ａ→Ｓ１７ａ→Ｓ１８ａ→Ｓ１９ａ）。消灯調光信号ＳＧ（０）が入力されるとＳ２０ａに進む。
（９）Ｓ２０ａにおいて、オフ期間であるＴ２をカウント開始する。
（１０）Ｓ２１ａにおいて、演算処理部１４１０は、点灯制御が開始されたどうかを判定する。開始されない場合は、Ｔ２のカウントを継続する（Ｓ２０ａ→Ｓ２１ａ→Ｓ２０ａ）。点灯制御が開始されると、Ｓ２２ａにおいて演算処理部１４１０は、Ｔ１が２秒以下、かつ、Ｔ２が２秒以下の判定式が成立しているかを判定する。これは図５のｎ＝１の部分の「Ｔ１期間かつＴ２期間」のパターンが成立しているかどうかの確認である。成立している場合は、Ｓ２３ａにおいて演算処理部１４１０は、変数ｎを１だけインクリメントする。このときＳ１５ａにおいてｎ＝０であったので、ｎ＝１となる。つまり、演算処理部１４１０は図５のｎ＝１のパターンを認識した。Ｓ２１ａで判定式が成立していないときには処理はＳ１５ａに戻る。Ｓ１５ａに戻るのは以上の処理で点灯調光信号ＳＧ（１）、消灯調光信号ＳＧ（０）の入力があったが、Ｔ１が２秒以下かつＴ２が２秒以下という、テーブル変更パターンを構成する構成パターン（ｎ＝１の部分）を満たさなかったことを意味する。
（１１）Ｓ２４ａにおいて演算処理部１４１０はｎ＝３と判定すると、Ｓ２５ａにおいて現在の出力モードを確認し、現在の出力モードを確認すると現在の出力モードではない他方の出力モードの調光テーブルに切り替える（Ｓ２６ａ−１、Ｓ２６ａ−２）。
演算処理部１４１０には、調光テーブル切替パターンを検知した場合には、このように、いかなる調光テーブルを選択するべきかの選択規則が設定されている。演算処理部１４１０は、この選択規則に従って調光テーブルを選択する（切り替える）。演算処理部１４１０には、このように予め設定された選択規則に従って不揮発メモリ１４１１から一つの調光テーブルを選択するべきことが設定されている。
（１２）Ｓ２７ａにおいて演算処理部１４１０は、調光テーブルを切り替えると、調光テーブルの出力モード（高出力モード、標準出力モードの別）を不揮発メモリ１４１１に記憶する。
（１３）なお、調光テーブルの切り替えは、交互に行われる。つまり、テーブル切替パターンを検出するごとに、調光テーブルは、調光テーブル１→調光テーブル２→調光テーブル１→・・・のように切り替える。
（１４）以上、図８で述べた演算処理部１４１０の動作がテーブル切替動作である。
【００２６】
以上のように、演算処理部１４１０は、ＯＮを指示する点灯調光信号ＳＧ（１）、ＯＦＦを指示する消灯調光信号ＳＧ（０）によって形成される調光テーブル切替パターン（図５）の検出によって調光テーブルを切り替えるので、幅広い調光ステップを確保できる。
【００２７】
（点灯調光信号ＳＧ（１）等を周波数違いの調光信号とする場合）
図８のフローチャートでは、図５の構成パターンは、点灯調光信号ＳＧ（１）によるオン期間（Ｔ１期間）が２秒以下、かつ、消灯調光信号ＳＧ（０）によるオフ期間（Ｔ２期間）が２秒以下であった。調光テーブル切替パターンを構成する異なる２種類の調光信号は、少なくとも、オンデューティ比が異なれば良い。図５の調光テーブル切替パターンを構成する点灯調光信号ＳＧ（１）、消灯調光信号ＳＧ（０）は、オンデューティ比が異なるものである。これに限らず、オン期間Ｔ１、オフ期間Ｔ２に相当する期間を、少なくとも、周波数が異なる種類の調光信号で構成してもよい。つまり点灯調光信号ＳＧ（１），消灯調光信号ＳＧ（０）の区別は、図８等の上記の説明ではオンデューティ比の違いで区別した。これに対して点灯調光信号ＳＧ（１），消灯調光信号ＳＧ（０）の区別を、調光信号の周波数の違いで区別してもよい。この場合、便宜上、呼び名は点灯調光信号ＳＧ（１），消灯調光信号ＳＧ（０）と呼ぶが、周波数違いの場合は、点灯調光信号ＳＧ（１），消灯調光信号ＳＧ（０）は、光源点灯装置１０１を点灯、消灯させる信号でなくても良く、調光テーブルを切り替える信号であればよい。
【００２８】
例えば、１ｋＨｚの調光信号を点灯調光信号ＳＧ（１）と認識し、１００Ｈｚの調光信号を消灯調光信号ＳＧ（０）と認識するように演算処理部１４１０を設定する。この場合、オンデューティ比は問わなくてもよいし、決めても構わない。このような設定により、調光信号の周波数の違いによっても、調光テーブルを切り替えることができる。この場合の処理フローは、オンデューティ比と周波数の違いだけであるので、図８と同様であるからフローチャートは省略する。周波数違いの調光信号で調光テーブル切替パターンを構成する際も、演算処理部１４１０には、調光テーブル切替パターンを検知した場合には、いかなる調光テーブルを選択するべきかの選択規則が設定されている。演算処理部１４１０は、この選択規則に従って調光テーブルを選択する（切り替える）。
【００２９】
図９は、点灯調光信号ＳＧ（１）、消灯調光信号ＳＧ（０）に周波数違いの調光信号を用いる簡易な調光テーブル切替の場合を示すフローチャートである。演算処理部１４１０は、Ｓ９２で周波数によって区別される点灯調光信号ＳＧ（１）（特定の周波数の調光信号、例えば１ｋＨｚ）、消灯調光信号ＳＧ（０）（特定の周波数の調光信号、例えば１００Ｈｚ）の入力を待ち、入力があるとその周波数を判定する。判定の結果、周波数が１ｋＨｚのときには調光テーブル１（標準出力）を選択し、１００Ｈｚのときには調光テーブル２（高出力）を選択する。図９のような周波数違いによる切り替えで有れば、図５の操作に比べて、簡単な操作で調光テーブルを切り替えることができる。
【００３０】
周波数違いで調光テーブルを選択する場合には、以下のような設定が好ましい。例えば、通常は調光テーブル１（標準出力）を使用し、調光テーブル２（高出力）の使用はまれであり、また、調光テーブル１も調光テーブル２も調光信号の周波数が１ｋＨｚである場合は、周波数１ｋＨｚで調光テーブル１へ切り替り、周波数が１００ｋＨｚで調光テーブル２へ切り替る設定とする。これにより、通常使用される調光テーブル１は、通常使用状態で調光テーブルの選択も兼ねることができるからである。
【００３１】
実施の形態２．
図１０を参照して実施の形態２の光源点灯装置１０２を説明する。光源点灯装置１０２は、商用交流電源９００の特定のＯＮ／ＯＦＦのパターン（電源オンオフパターン；図５）を検出することで、調光テーブルを選択する（切り替える）構成である。演算処理部１４１０には、特定のＯＮ／ＯＦＦのパターンを認識した場合には、いかなる調光テーブルを選択するべきかの選択規則が設定されている。演算処理部１４１０は、この選択規則に従って調光テーブルを選択する（切り替える）。
【００３２】
図１０は光源点灯装置１０２の回路図である。光源点灯装置１０２は、実施の形態１の光源点灯装置１０１に対して、さらに、商用交流電源９００の供給の有無を検出する電源検出回路１５０を備えている。図１０のように、電源検出回路１５０は、整流回路１１０の出力電圧を分圧し、この分圧された電圧を演算処理部１４１０に供給する、抵抗の直列接続である。
【００３３】
（調光テーブルの切り替え動作）
光源点灯装置１０２の演算処理部１４１０による調光テーブルの切り替え動作を説明する。
（１）演算処理部１４１０は、電源検出回路１５０から検出結果を入力する。この検出結果から、図５のテーブル切替パターンを認識すると、実施の形態１と同様に、現在の調光テーブルを、他方の調光テーブルに切り替える。
（２）光源点灯装置１０２の場合も、演算処理部１４１０が現在の調光テーブルの出力モードを不揮発メモリ１４１１に記憶しおり、調光テーブルを切り替えると、切替後の調光テーブルの出力モードを不揮発メモリ１４１１に記憶する。
（３）光源点灯装置１０２は光源点灯装置１０１に対して、図５のテーブル切替パターンの検出に基づく信号が、電源検出回路１５０から出力される商用交流電源９００の供給の有り（ＯＮ）、無し（ＯＦＦ）信号であり、図５のＴ１期間は商用交流電源９００の供給ありの期間を示し、Ｔ２期間は供給なしの期間を示す。よって、このように光源点灯装置１０２は光源点灯装置１０１と、テーブル切替パターンの検出に基づく信号が異なるだけであるから、動作フローは図８と同様である。
【００３４】
なお、図６に示すように、各照明器具は、通常、商用交流電源９００の供給をＯＮ、ＯＦＦするスイッチが同じである。つまり実施の形態１で述べたように、図２０の様な場合に、照明器具ａの光源点灯装置１０２のみを高出力の調光テーブル２に切り替えたい場合は、照明器具ａの光源点灯装置１０２のみに、テーブル切替パターンを認識させる必要がある。この場合も、実施の形態１で述べたような光源接続検出回路１７０による認識方法（イ）や、照明制御装置４００からのアドレス指定の方法（ロ）によって、照明器具ａの光源点灯装置１０２のみに応答させることができる。
【００３５】
実施の形態２の光源点灯装置１０２によれば、商用交流電源９００のＯＮ、ＯＦＦによって調光テーブルを切り替えることができるので、照明器具をＯＮ、ＯＦＦさせる壁スイッチなどで、簡易に調光テーブルを切り替えることができる。
【００３６】
なお、実施の形態２は実施の形態１と併せても構わない。つまり演算処理部１４１０は、商用交流電源９００の供給の有無によるテーブル切替パターン（図５）を検出した際に調光テーブルの切り替えを行い、かつ、実施の形態１のように、調光信号による調光テーブル切替パターン（図５）を検出した際にも調光テーブルの切り替えを行ってもよい。これにより、利用者の利便が高まる。
【００３７】
実施の形態３．
図１１〜図１４を参照して実施の形態３の光源点灯装置１０３を説明する。光源点灯装置１０３は、初期照度補正の機能を有する点灯装置である。光源点灯装置１０３は、初期照度補正のための２種類の初期照度補正テーブルを保有する。そして、光源点灯装置１０３は、商用交流電源９００の特定のＯＮ／ＯＦＦのパターンを検出することで、初期照度補正テーブルを切り替える構成である。特定のＯＮ／ＯＦＦのパターンは、図５のテーブル切替パターンとする。
【００３８】
実施の形態２の光源点灯装置１０２は商用交流電源９００のＯＮ／ＯＦＦのパターンを検出することで調光テーブルを切り替えたが、光源点灯装置１０３は、初期照度補正テーブルを切り替える。実施の形態３の場合も、演算処理部１４１０には、テーブル切替パターンを検知した場合には、いかなる初期照度補正テーブルを選択する（切り替える）べきかの選択規則が設定されている。演算処理部１４１０は、この選択規則に従って、初期照度補正テーブルを選択する。
【００３９】
図１１は、光源点灯装置１０３の回路図である。光源点灯装置１０３は、光源点灯装置１０２と同じ構成である。ただし、図１１には調光コントローラ３００が記載されていない。光源点灯装置１０３の不揮発メモリ１４１１には複数の初期照度補正テーブルの他に、実施の形態１，２で述べた図４のような複数の調光テーブルが格納されていても良い。この場合、光源点灯装置１０３の演算処理部１４１０は、設定に従って、調光機能と、初期照度補正機能とのいずれかの機能で、その設定後に機能するものとする。例えば、演算処理部１４１０は調光コントローラ３００が調光信号入力端子１８１，１８２に接続されていないことを検出すると、初期照度補正モードの設定となる。このような設定によれば、一台の光源点灯装置１０３（不揮発メモリ１４１１）に複数の初期照度補正のテーブルと、複数の調光テーブルとを格納しておくことで、一台の光源点灯装置１０３を、調光機能用、初期照度補正用のどちらの光源点灯装置にも使用できる。光源点灯装置１０３（演算処理部１４１０）は、初期照度補正モードに設定されると、設定に従って複数の初期照度補正テーブルの中から一つの初期照度補正テーブルを選択し、選択した初期照度補正テーブルに従って光源の累積点灯時間を計時しながら降圧チョッパ回路１３０を制御する。その後に演算処理部１４１０がテーブル切替パターンを検知した場合には、上記のように、選択規則に従って、初期照度補正テーブルを選択する。
【００４０】
図１２は、演算処理部１４１０の不揮発メモリ１４１１に格納される２種類の初期照度補正テーブルの特性を示す図である。横軸はＬＥＤ光源の累積点灯時間であり、縦軸は降圧チョッパ回路１３０の出力電流を示す。不揮発メモリ１４１１には図１２に示す特性の、標準出力の初期照度補正テーブル１、高出力の初期照度補正テーブル２が格納されている。
図１３は不揮発メモリ１４１１が格納する初期照度補正テーブル１、初期照度補正テーブル２を示し、図１２の特性である。
【００４１】
図１３に示す初期照度補正テーブル１，初期照度補正テーブル２の特性は以下の特徴がある。初期照度補正テーブル１は、４００００時間における１００％の全光出力３００ｍＡに対して、初期値である０時間における出力が全光の８５％の２５５ｍＡである。つまり、全光を「１」とすると、全光時：初期時は「１：０．８５」である。同様に初期照度補正テーブル２は、「１：０．７５」である。このように光源点灯装置１０３では、高出力の初期照度補正テーブル２の方が、全光時を１としたときの初期時の値が小さい（０．７２＜０．８５）ことが特徴である。つまり全光時を分母、初期時を分子としたときの分数の値は、高出力の初期照度補正テーブルのほうが小さいことが特徴である。これにより、通常、高出力のＬＥＤほど劣化が早いので、出力違いの初期照度補正テーブルに対して高出力のものほど大きめの劣化を反映することで（つまり、全光時１に対して初期時を小さな値とする）ことで、出力違いの劣化を含めた、適正な初期照度補正を行うことができる。
【００４２】
（初期照度補正テーブルの切り替え動作）
初期照度補正テーブルの切り替えの動作は、実施の形態２の場合と同様である。実施形態２に対して切り替えの対象が、調光テーブルから初期照度補正テーブルに変更となった構成である。但し、図１４に示すように、累積時間の相違がある。
【００４３】
図１４は、初期照度補正テーブルの切り替えと累積点灯時間の関係を示す図である。図１４は、累積点灯時間が２００００時間のときに、初期照度補正テーブル１から初期照度補正テーブル２に切り替わった場合を示す。この場合、切替後の初期照度補正テーブルは、切替前の初期照度補正テーブル１の累積点灯時間を引き継ぐ。つまり、演算処理部１４１０は、初期照度補正テーブル１における累積点灯時間を計測し、不揮発メモリ１４１１に記憶しているが、初期照度補正テーブルが切り替ると、不揮発メモリ１４１１に記憶している切り替え前の累積点灯時間を使用する。つまり、リセットされない限り、演算処理部１４１０にとって、初期照度補正テーブルの切り替えが発生しても累積点灯時間は、初期照度補正テーブルの切り替えのたびに引き継がれる。
【００４４】
実施の形態４．
図１５〜図１８を参照して実施の形態４を説明する。実施の形態１，２では調光テーブルの選択を説明し、実施の形態３では初期照度補正テーブルの選択を説明したが、いずれもテーブルは２種類であった。しかし「２種類」は例示であり、調光テーブル、初期照度補正テーブル、いずれの場合も３種以上の任意の数で構わない。
図１５は、調光テーブルが４つの場合を示す。
図１６は、初期照度補正テーブルが４つの場合を示す。なお、図１６の初期照度補正テーブルは、高出力になるほど「全光時：初期時」＝「１：ｋ」におけるｋの数値が小さくなっている。
【００４５】
３種以上の調光テーブル、３種以上の初期照度補正テーブルを有する場合には、演算処理部１４１０には、実施の形態１〜３と同様に、図５のような特定のテーブル切替パターンを認識した場合には、いかなるテーブルを選択するべきかの選択規則が設定されている。演算処理部１４１０は、この選択規則に従ってテーブルを選択する。例えば、１種類のテーブル切替パターンのみが設定されている場合は、演算処理部１４１０は、テーブル切替パターンを認識する毎に、循環にテーブルを切り替える。また、テーブルごとに対応するテーブル切替パターンを設定してもよい。
【００４６】
図１７、図１８は、標準出力のテーブル（調光テーブル、初期照度補正テーブルの両者を含む）から高出力のテーブルへの切替時において、あるいは、高出力のテーブル（調光テーブル、初期照度補正テーブルの両者を含む）から標準出力のテーブルへの切替時に、演算処理部１４１０が、光源を一時的に明滅させて、テーブルの切り替えを利用者に通知する構成を示す図である。つまり利用者は、図１７では１００％点灯から１回暗くなることで標準から高出力になったことを知ることができるし、図１８では１００％点灯から２回暗くなることで標準から高出力になったことを知ることができる。しかも、その通知前には、フェードイン点灯がある。よって、利用者は暗くなる通知があることを予測できる。
【００４７】
以上の実施の形態１〜４によれば、光源点灯装置の最大出力照度を、所定の操作により予め設定した照度に切替えるようにした。このため、レイアウト変更時において間仕切りに近い部分の照度が低下した場合でも、光源点灯装置を交換せず、かつ、調光ステップを狭めることなく、また、初期照度補正では光源の出力特性に応じた補正特性で照度を増加させることが可能である。さらに、光源点灯装置の最大出力照度を切替える際に最小出力照度についても切替えるようにした。このため、間仕切りに近い部分以外の照明の最も明るいときと最も暗いときの照度比は、間仕切りに近い部分の照明の最も明るいときと最も暗いときの照度比と同じにすることができる。
【符号の説明】
【００４８】
１０００  照明器具、１１  器具本体、１２  電源線、１３  コネクタ、１４  ＬＥＤ、１５  基板、１６  配線、１０１  光源点灯装置、１１０  整流回路、１１１  ダイオードブリッジ、１１２  コンデンサ、１２０  力率改善回路、１２１  インダクタ、１２２  ダイオード、１２３  コンデンサ、１２４  スイッチング素子、１２５  制御ＩＣ、１３０  降圧チョッパ回路、１３１  スイッチング素子、１３２  インダクタ、１３３  コンデンサ、１３４  ダイオード、１３５  ＬＥＤ電流検出抵抗、１４０  制御部、１４１０  演算処理部、１４１１  不揮発記憶部、１４２０  降圧チョッパ回路制御部、１５０  電源検出回路、１６０  制御電源回路、１７０  光源接続検出回路、２００  光源、３００  調光コントローラ、４００  照明制御装置、９００  商用交流電源。
【図１】
2014183014.tif 000003
【図２】
2014183014.tif 000004
【図３】
2014183014.tif 000005
【図４】
2014183014.tif 000006
【図５】
2014183014.tif 000007
【図６】
2014183014.tif 000008
【図７】
2014183014.tif 000009
【図８】
2014183014.tif 000010
【図９】
2014183014.tif 000011
【図１０】
2014183014.tif 000012
【図１１】
2014183014.tif 000013
【図１２】
2014183014.tif 000014
【図１３】
2014183014.tif 000015
【図１４】
2014183014.tif 000016
【図１５】
2014183014.tif 000017
【図１６】
2014183014.tif 000018
【図１７】
2014183014.tif 000019
【図１８】
2014183014.tif 000020
【図１９】
2014183014.tif 000021
【図２０】
2014183014.tif 000022
【図２１】
2014183014.tif 000023
【図２２】
2014183014.tif 000024